(57)【要約】【課題】車載通信機１１において、ハンドオーバの失敗を抑制する。【解決手段】車載通信機１１において、無線接続を希望する基地局の候補のリストを作成するとともに、このリストに含まれる基地局毎に無線接続をする優先順位を決定し、リストと基地局毎の優先順位とを交換局１２２に送信して無線接続すべき基地局を決定させる。経路上において現在地から所定距離内に不具合が生じた場所が位置するとき、不具合履歴に応じて基地局毎の優先順位を変更するとともに、この変更された基地局毎の優先順位をリストとともに交換局に送信する。したがって、例えば、橋の上の如く、見通しの良好な場所において、交換局が、遠方の基地局との間にて無線接続を新規に行うことを決定させないようにすることができる。したがって、車載通信機１１が、見通しの良好な場所において、遠方の基地局との間で無線接続を行うことを未然に防ぐことができる。【選択図】　　　　図１
2004120080.tif 000002
【特許請求の範囲】
【請求項１】
基地局毎に送信されてくる信号の受信レベルを測定し、この測定された基地局毎の受信レベルに応じて、無線接続を希望する基地局の候補のリストを作成するとともに、このリストに含まれる基地局毎に前記無線接続を希望する優先順位を決定する決定手段（２０２Ａ、２０２Ｂ）を有し、
前記作成されたリストと前記決定された基地局毎の優先順位とを無線通信システムの交換局（１２２）に送信して、この交換局にて前記リストと前記基地局毎の優先順位とに基づき無線接続すべき基地局を決定させるようにする移動局であって、
前記無線接続による基地局との通信に不具合が生じたとき、この不具合が生じた場所の位置情報を検出するとともに、この検出された位置情報毎に前記通信の不具合履歴を記録する記録手段（Ｓ６０３）と、
前記記録された不具合履歴に基づき、目的地に至る経路上にて前記現在地から所定距離内に前記不具合が生じた場所が位置することを判定したとき、前記不具合履歴に応じて前記決定された基地局毎の優先順位を変更するとともに、この変更された前記基地局毎の優先順位および前記リストを前記交換局に送信する変更手段（Ｓ２０３、Ｓ２０４）と、を有することを特徴とする移動局。
【請求項２】
前記変更された前記基地局毎の優先順位を前記リストとともに前記交換局に送信してから自己が前記不具合が生じた場所を通過したときに、前記基地局との無線接続を介する通信に成功した場合、前記通信に成功した成功回数を前記基地局毎にカウントするとともに、このカウントされた前記基地局毎の成功回数を前記不具合履歴に追加する追加手段（Ｓ３０４乃至Ｓ３０７）を有し、
前記変更手段が、前記カウントされた基地局毎の成功回数に応じて、前記基地局毎の優先順位を変更することを特徴とする請求項１に記載の移動局。
【請求項３】
前記変更された前記基地局毎の優先順位を前記リストとともに前記交換局に送信してから自己が前記不具合が生じた場所を通過したときに、前記基地局との無線接続を介する通信に不具合は生じた場合、前記通信に不具合が生じた失敗回数を前記基地局毎にカウントするとともに、このカウントされた前記基地局毎の失敗回数を前記不具合履歴に追加する追加手段（Ｓ６０４乃至Ｓ６０６）を有し、
前記変更手段が、前記カウントされた基地局毎の失敗回数に応じて、前記基地局毎の優先順位を変更することを特徴とする請求項１又は２に記載の移動局。
【請求項４】
前記不具合が生じた場所を自己が通過するとき、前記基地局毎に送信されてくる信号の受信レベルを測定し、この測定された基地局毎の受信レベルに応じて、前記基地局毎の優先順位を前記変更手段により変更せずに前記交換局に送信した場合でも前記無線接続による基地局との通信が実現可能であるか否かを判定する実現判定手段（Ｓ４０３）と、
前記基地局毎の優先順位を前記変更手段により変更せずに前記交換局に送信した場合でも前記無線接続による基地局との通信が実現可能であることを前記実現判定手段が判定したとき、前記記録された前記不具合履歴を消去する消去手段（４０６）と、を有することを特徴とする請求項１乃至３のいずれか１つに記載の移動局。
【発明の詳細な説明】
【０００１】
【発明の属する技術分野】
本発明は、基地局との無線通信を介して通信を行う移動局に関する。
【０００２】
【従来の技術】
例えば、Ｗ−ＣＤＭＡ方式の移動体通信システムにおいては、移動局への電波の伝搬環境に応じて、複数の基地局のうち無線接続する基地局を切り換えるようにしたセルラー方式が採用されている（例えば、特許文献１，２参照）。
【０００３】
具体的には、移動局が、基地局毎に送信されてくる信号の受信レベルを計測して、これら計測された受信レベルが所定レベル以上であるとき、この受信レベルの基地局を新規に無線接続すべき基地局の候補として決定しこの決定された候補を含むリストを作成する。これに加えて、リストに含まれる基地局毎に無線接続を希望する優先順位を決定する。この優先順位は受信レベルの高いもの程、優先度が高くなるようにしてあり、基地局毎の優先順位が、リストとともに、移動体通信システム網（以下、網と略す）に報告される。
【０００４】
そして、網は、リストおよび優先順位に基づいて、新規に無線接続すべき基地局を決定するとともに、この決定された基地局に新規に無線接続するように移動局に指示する。このことにより、移動局が受信レベルの最も高い基地局に対して無線接続を開始することになる。
【０００５】
【特許文献１】
特許２９６８７４３号公報
【０００６】
【特許文献２】
特開平２００１−６９５４８号公報
【０００７】
【発明が解決しようとする課題】
以上のように、受信レベルによって無線接続を開始する基地局を選択するのは、本質的に妥当であるものの、例えば、橋の上の如く、見通しの良好な場所では、遠方に位置する基地局からの送信信号が、障害物に邪魔されることなく、送られてくる。したがって、遠方の基地局からの信号が、上述した所定レベル以上の受信レベルで受信される可能性がある。これに伴い、遠方の基地局を含むリストが作成されるとともに、当該リストの中でも、遠方の基地局の優先順位が高く設定される可能性がある。
【０００８】
したがって、このようなリストと優先順位が基地局を介して交換局に送られ、交換局が遠方の基地局と移動局との無線接続を指示すると、遠方の基地局と移動局との無線接続が開始されるものの、移動局が、上述した見通しの良好な場所から離れると、当該遠方の基地局からの受信レベルが低下して当該遠方の基地局との無線通信が中断される可能性がある。すなわち、ハンドオーバに失敗する可能性がある。
【０００９】
本発明は、上記点に鑑み、ハンドオーバの失敗を抑制することができる移動局を提供することを目的とする。
【００１０】
【課題を解決するための手段】
本発明は、上記目的を達成するために、請求項１に記載の発明では、基地局毎に送信されてくる信号の受信レベルを測定し、この測定された基地局毎の受信レベルに応じて、無線接続を希望する基地局の候補のリストを作成するとともに、このリストに含まれる基地局毎に無線接続を希望する優先順位を決定する決定手段（２０２Ａ、２０２Ｂ）を有し、作成されたリストと決定された基地局毎の優先順位とを無線通信システムの交換局（１２２）に送信して、この交換局にてリストと基地局毎の優先順位とに基づき無線接続すべき基地局を決定させるようにする移動局であって、無線接続による基地局との通信に不具合が生じたとき、この不具合が生じた場所の位置情報を検出するとともに、この検出された位置情報毎に通信の不具合履歴を記録する記録手段（Ｓ６０３）と、記録された不具合履歴に基づき、目的地に至る経路上にて現在地から所定距離内に不具合が生じた場所が位置することを判定したとき、不具合履歴に応じて決定された基地局毎の優先順位を変更するとともに、この変更された基地局毎の優先順位およびリストを交換局に送信する変更手段（Ｓ２０３、Ｓ２０４）と、を有することを特徴とする。
【００１１】
これにより、不具合履歴に応じて基地局毎の優先順位を変更して交換局に送信されるため、交換局が、例えば、橋の上の如く、見通しの良好な場所において、遠方の基地局と無線接続することを決定させないようにすることができる。したがって、移動局が、見通しの良好な場所において、遠方の基地局と無線接続することを未然に防ぐことが可能になる。したがって、ハンドオーバの失敗を抑制することができる。
【００１２】
具体的には、請求項２に記載の発明のように、変更された基地局毎の優先順位をリストとともに交換局に送信してから自己が不具合が生じた場所を通過したときに、基地局との無線接続を介する通信に成功した場合、通信に成功した成功回数を基地局毎にカウントするとともに、このカウントされた基地局毎の成功回数を不具合履歴に追加する追加手段（Ｓ３０４乃至Ｓ３０７）を有し、変更手段が、カウントされた基地局毎の成功回数に応じて、基地局毎の優先順位を変更するようにしてもよい。
【００１３】
また、請求項３に記載の発明のように、変更された基地局毎の優先順位をリストとともに交換局に送信してから自己が不具合が生じた場所を通過したときに、基地局との無線接続を介する通信に不具合は生じた場合、通信に不具合が生じた失敗回数を基地局毎にカウントするとともに、このカウントされた基地局毎の失敗回数を不具合履歴に追加する追加手段（Ｓ６０４乃至Ｓ６０６）を有し、変更手段が、カウントされた基地局毎の失敗回数に応じて、基地局毎の優先順位を変更するようにしてもよい。
【００１４】
また、例えば、通信網側の整備により基地局が追加されて、不具合履歴に記録されている不具合の原因が無くなったときに、今後、変更手段により基地局毎の優先順位を変更することが不必要になる。この場合には、次のように、基地局毎の優先順位を変更せずに交換局に送信した場合でも無線接続による基地局との通信が実現可能であることを判定したとき、不具合履歴を消去するようにしてもよい。
【００１５】
すなわち、請求項４に記載の発明では、不具合が生じた場所を自己が通過するとき、基地局毎に送信されてくる信号の受信レベルを測定し、この測定された基地局毎の受信レベルに応じて、基地局毎の優先順位を変更手段により変更せずに交換局に送信した場合でも無線接続による基地局との通信が実現可能であるか否かを判定する実現判定手段（Ｓ４０３）と、基地局毎の優先順位を変更手段により変更せずに交換局に送信した場合でも無線接続による基地局との通信が実現可能であることを実現判定手段が判定したとき、記録された不具合履歴を消去する消去手段（４０６）と、を有することを特徴とする。
【００１６】
因みに、上記各手段の括弧内の符号は、後述する一実施形態に記載の具体的手段との対応関係を示す一例である。
【００１７】
【発明の実施の形態】
図１に本発明に係るＷ−ＣＤＭＡ方式の無線通信システムの実施形態の構成を示す。
【００１８】
無線通信システムは、車載通信機１１、基地局１２１および交換局１２２から構成されている。車載無線装置１１は、アンテナ１１０、移動局送信装置１１１、メッセージ符号化装置１１２、移動局受信装置１１３、メッセージ復号化装置１１４、コントローラ１１５、記録装置１１６、インターフェイス装置１１７、周辺環境・走行状態認識装置１１８、ナビゲーション装置１１９および車載センサ群１１１０を備えている。
【００１９】
メッセージ符号化装置１１２は、制御データ、送話音声データ（図示しないマイクからＡ／Ｄ変換器を通して入力される）などの送信データを符号化処理する。移動局送信装置１１１は、メッセージ符号化装置１１２により符号化処理された送信データを変調して変調信号をアンテナ１１０から送信させる。
【００２０】
移動局受信装置１１３は、無線通信網の基地局１２１からの送信された信号を復調する。メッセージ復号化装置１１４は、移動局受信装置１１３により復調された信号をを復号化処理する。このようにして、当該復号化処理された信号がＤ／Ａ変換器を通してスピーカに入力され、このスピーカから受話音声を発生させることができる。
【００２１】
コントローラ１１５は、マイクロコンピュータなどから構成されて、後述するように、基地局毎に新規に無線接続する基地局の候補のリストを作成する作成処理、およびリストに含まれる基地局毎に新規に無線接続する優先順位を決定する決定処理を行う。さらに、コントローラ１１５は、決定処理により決定された優先順位を変更する変更処理を行う。また、記録装置１１６は、コントローラ１１５による各処理に伴うデータを記録するとともに、コンピュータプログラムを記録する。
【００２２】
インターフェイス装置１１７は、コントローラ１１５および周辺環境・走行状態認識装置１１８間のデータの送受信の中継を行う。周辺環境・走行状態認識装置１１８は、ナビゲーション装置１１９からの出力に基づき、車両の現在地の周辺環境、走行状態を検出する。ナビゲーション装置１１９は、道路地図データ等を記憶するとともに、この記憶された道路地図データ、車載センサ群１１１０から取得された現在地情報、操作スイッチなどにより入力された目的地などから、現在地から目的地までの経路を設定する。また、ナビゲーション装置１１９は、この経路を、音声、画像などを用いて乗員に案内する。車載センサ群１１１０は、現在地を検出するためのＧＰＳ受信機、ジャイロ、車速センサなどから構成されている。
【００２３】
基地局１２１は、基地局無線装置を備えており、基地局無線装置は、車載無線装置１１との間で無線通信する。また、基地局は、それぞれ、交換局１２２と通信を行うとともに、公衆回線を通して他の電話器等との間で通信処理を行う。交換局１２２は、後述するように新規に無線接続するべき基地局を決定する処理を行うとともに、メーカ１３のサーバ装置１３２とメッセージ符号化・復号装置１３１を介して通信する。
【００２４】
また、メッセージ符号化・復号装置１３１は、交換局１２２から送られてくる送信データを復号化して、サーバ装置１３２に出力するとともに、サーバ装置１３２からの出力を符号化して交換局１２２に出力する。また、サーバ装置１３２は、車載無線装置１１の製造メーカにより管理されたもので、基地局１２１および交換局１２２を介して車載通信機１１から、各種のデータ（後述する不具合履歴）を回収して、このデータに応じて車載通信機１１の制御プログラム、制御パラメータを変更してこの変更した制御プログラム、制御パラメータを車載通信機１１に送る。
【００２５】
次に、本実施形態の作動について図２〜図５説明する。図２は、コントローラ１１５の処理を示すフローチャートである。先ず、コントローラ１１５は、基地局との無線通信を介して他の電話器との通話処理を行っているとき、次の処理を一定期間毎に行う。
【００２６】
すなわち、インターフェイス装置１１７および周辺環境・走行状態認識装置１１８を介してナビゲーション装置１１９から現在地の位置情報を取得する（Ｓ２０１）。これに加えて、この取得された現在地情報と、記録装置１１６に記録された不具合履歴と、ナビゲーション装置１１９により設定された経路とに基づき、現在地に対応する通信不具合履歴が記録されているか否かを判定する。
【００２７】
具体的には、経路上にて現在地から所定距離内に、過去に通信の不具合を生じた特定場所（例えば、橋）が存在するか否かを判定する（Ｓ２０２）。経路上にて現在地から所定距離内に、過去に通信の不具合を生じた特定場所が存在するとき、現在地に対応する通信不具合履歴が記録されているとして、ＹＥＳ（有）と判定する。
【００２８】
この場合、アンテナ１１０および移動局受信装置１１３を介して、パイロット信号を送信してくる基地局（無線接続中の基地局を含む）毎にパイロット信号の受信レベルを測定するとともに、この基地局毎の受信レベルに応じて、無線接続する基地局の候補のリストを作成する。
【００２９】
例えば、受信レベル（例えば、ＳＩＲ、あるいは、受信電力）を測定した全ての基地局のうち、所定レベル以上の受信レベルで受信されたパイロット信号を送ってくる基地局だけを含むようにリストを作成するとともに、このリストに含まれる基地局毎に無線接続する優先順位を決定する（Ｓ２０２Ａ）。この基地局毎の優先順位は、受信レベルが高い程、優先的に無線接続されるように設定される。これに加えて、リストに含まれる基地局毎の優先順位を、後述するように、基地局毎の接続優先度に応じて変更する（Ｓ２０３）。
【００３０】
また、Ｓ２０２の判定処理にて、経路上にて現在地から所定距離内に、過去に通信の不具合を生じた特定場所が存在しないとき、現在地に対応する通信不具合履歴が記録されていないとしてＮＯと判定する。この場合、Ｓ２０２Ａと同様、無線接続する基地局の候補のリストを作成するとともに、このリストに含まれる基地局毎に無線接続する優先順位を個々の受信レベルに応じて決定する（２０２Ｂ）。
【００３１】
このように作成或いは変更されたリストおよび基地局毎の優先順位を示すリスト信号をメッセージ符号化置１１２を介して移動局送信装置１１１に送るとともに、この移動局送信装置１１１がリスト信号を変調してアンテナ１１０から送信されることになる。
【００３２】
このようなリスト信号が、基地局１２１を通して交換局１２２に送られると、この交換局１２２が、リスト信号に基づいて、新規に無線接続すべき基地局を決定する。例えば、新規に無線接続する基地局としては、リスト信号に含まれる優先順位の１位である基地局を決定する。
【００３３】
これに加えて、優先順位の２位以降の基地局であっても、この基地局の受信レベルが、優先順位の１位である基地局の受信レベルのＡ％（Ａは予め決められた数値）以上であるならば、当該２位以降の受信する基地局を、新規に無線接続すべき基地局として決定する。
【００３４】
このように新規に無線接続する基地局が決定されると、この決定された基地局を示す接続信号が基地局１２１を通して車載無線装置１１に送られる。すると、車載無線装置１１のコントローラ１１５が、アンテナ１１０および移動局受信装置１１３を介して接続信号を受信すると、コントローラ１１５が、移動局受信装置１１３に対して、上述した新規に無線接続すべき各基地局との無線接続を開始するように指令する。
【００３５】
これに伴い、移動局受信装置１１３が当該各基地局からの信号を受信するとともに、移動局送信装置１１１は、送信信号を各接続基地局のそれぞれに送信することになる（Ｓ２０４）。このようにして、当該車両が特定場所を通過するとき、車載無線装置１１が各接続基地局との無線通信を介して、他の電話器との通信（例えば、通話）を行うことができる。
【００３６】
次に、各接続基地局との無線通信に不具合が発生したか否かを判定する（Ｓ２０５）。無線通信に不具合が発生しないとしてＮＯと判定したとき、後述する学習・調整▲２▼の処理（Ｓ２０６）、不具合履歴更新処理（Ｓ２０７）を行う。その後、Ｓ２０１に戻る。
【００３７】
また、無線通信に不具合が発生したとしてＹＥＳと判定したとき、後述する学習・調整▲１▼の処理（Ｓ２０８）を行う。そして、Ｓ２０９に移行して、Ｓ２０９の処理による調整内容、不具合原因などを記録装置１１６に記録すると、Ｓ２０１に移行する。
【００３８】
次に、学習・調整▲１▼の処理（Ｓ２０８）について図３を用いて説明する。
【００３９】
学習・調整▲１▼の処理（Ｓ２０８）は、各基地局との無線接続を介する通信に不具合が生じたとしてＹＥＳと判定した場合にのみ、行われる。
【００４０】
先ず、インターフェイス装置１１７および周辺環境・走行状態認識装置１１８を介してナビゲーション装置１１９から現在地の位置情報を取得する（Ｓ６０１）。
【００４１】
これに加えて、通信に不具合が生じた基地局の基地局番号（通信ログ）と、受信レベルの時間履歴（時間の経過に伴い受信レベルが変化したことを示す履歴）とを、アンテナ１１０および移動局受信装置１１３を介して測定し、記録装置１１６に記録する（Ｓ３０４）。このことにより、この位置情報毎の通信不具合履歴が記録装置１１６に記録されることになる。
【００４２】
次に、当該現在地において、各不具合基地局との通信に不具合を生じた失敗回数を基地局毎にて加算してこの失敗回数を記録装置１１６の通信不具合履歴に追加する（Ｓ６０４）。
【００４３】
次に、当該失敗回数が閾値（Ｔｈ−４）以上であるか否かを基地局毎に判定し（Ｓ６０５）、当該失敗回数が閾値（Ｔｈ−４）以上であるときには、不具合基地局毎の接続優先度を、例えば「５ポイントずつ」下げて記録装置１１６の通信不具合履歴に記録する（Ｓ６０６）。なお、この接続優先度は、基地局と無線接続の信頼性を示すデータであって、後述するように、受信レベルから求めたリストに載せられた基地局について、基地局毎の優先順位を変更するのに用いられる。
【００４４】
次に、学習・調整▲２▼の処理（Ｓ２０６）について図４を参照して説明する。
【００４５】
学習・調整▲２▼の処理（Ｓ２０６）は、現在地に対応する通信不具合履歴が記録されるとともに、Ｓ２０２でＹＥＳと判定されて基地局毎の優先順位の変更処理（Ｓ２０３）を行われ（Ｓ２０５Ｂ：ＹＥＳ）、かつ、各基地局との無線接続を介する通信に成功したとしてＮＯと判定した場合にのみ、行われる。すなわち、学習・調整▲２▼の処理としては、記録装置１１６に通信不具合履歴にて不具合基地局として記録された基地局と無線接続を介して通信を行ってこの通信に成功した場合のみ、行われることになる。
【００４６】
先ず、インターフェイス装置１１７および周辺環境・走行状態認識装置１１８を介してナビゲーション装置１１９から現在地の位置情報を取得する（Ｓ３０２）。
【００４７】
次に、アンテナ１１０および移動局受信装置１１３を介して受信された信号に基づいて、無線接続している基地局（以下、接続基地局という）のそれぞれの基地局番号（通信ログ）を取得する（Ｓ３０３）。これに加えて、接続基地局毎の基地局番号を、現在地の位置情報とともに記録装置１１６に記録する（Ｓ３０４）。
【００４８】
次に、この現在地において、学習・調整▲２▼の処理（Ｓ２０６）を行った回数を接続基地局毎に加算して記録装置１１６に記録する。当該回数は、接続基地局の無線接続を介する通信に成功した成功回数を表す。これに加えて、当該成功回数が閾値（Ｔｈ−１）以上であるか否かを判定する（Ｓ３０６）。
【００４９】
ここで、当該成功回数が閾値（Ｔｈ−１）以上であるときには、該当する接続基地局との接続優先度を、例えば「５ポイントずつ」上げて記録装置１１６に記録する（Ｓ３０７）。この接続優先度は、接続基地局との無線接続の信頼性を示すデータであって、後述するように、受信レベルに応じて基地局毎の優先順位を変更するのに用いられる。
【００５０】
次に、不具合履歴更新処理（Ｓ２０７）について図５を用いて説明する。
【００５１】
不具合履歴更新処理（Ｓ２０７）は、学習・調整▲２▼の処理（Ｓ２０６）の処理後に行われる。
【００５２】
すなわち、不具合履歴に記録された特定場所を車両が通過するときアンテナ１１０および移動局受信装置１１３を介して測定された基地局毎の受信レベルに基づき、次のような判定処理（Ｓ４０３）を行う。
【００５３】
すなわち、Ｓ２０３の処理で優先順位の変更を行わずに、特定場所を通過したときの受信レベル時間変動記録（受信レベルが時間の変動に伴い変動したことを示す記録）に基づき、通常処理（すなわち、単に受信レベルの高い順位に優先順位を設定）をして、この通常処理による優先順位を交換局１２２に送信し、不具合履歴に記録された特定場所を車両が通過しても、基地局との無線接続を介する通信に成功したか否かを予想する。
【００５４】
このことにより、基地局毎の優先順位を変更することが、今後、不必要であるか否かを判定することになる。すなわち、一旦、通信に不具合が生じても、通信網側の基地局の追加などの整備が行われた場合に、基地局毎の優先順位を変更することが、不必要であることを判定することができる。
【００５５】
例えば、不具合履歴に記録された特定場所を車両が通過するとき、常に、所定レベル以上の受信レベルで基地局からのパイロット信号が受信されているとき、優先順位の変更を行わずに基地局毎の優先順位を交換局１２２に送信しても、基地局との無線接続を介する通信が実現可能であると推定して、Ｓ４０３でＹＥＳと判定する。
【００５６】
ここで、ＹＥＳと判定した判定回数を加算してこの判定回数を記録装置１１６の不具合履歴に追加する。さらに、判定回数が閾値（ＴＨ−２）以上であるか否かを判定する（Ｓ４０５）。判定回数が閾値（ＴＨ−２）以上であるとしてＹＥＳと判定したとき、当該特定場所での不具合履歴を記録装置１１６から消去する（Ｓ４０６）。
【００５７】
次に、図２中の順位変更処理（Ｓ２０３）について説明する。すなわち、上述した学習・調整▲１▼▲２▼の処理（Ｓ２０６、Ｓ２０９）を複数回行うことにより、特定場所において基地局毎に成功回数、失敗回数がカウントされる。これに伴って、特定場所において基地局毎にて接続優先度（ポイント）が更新されることになる。
【００５８】
そして、この更新された接続優先度に基づき、次のように、リストに含まれる基地局毎の優先順位を、基地局毎の接続優先度に応じて変更する。すなわち、リストに含まれる、第１の基地局のポイントが、例えば、所定ポイント数以上であるときには、受信レベルに関わりなく、第１の基地局の優先順位を最上位に設定する。
【００５９】
また、リストに含まれる、第２の基地局のポイントが、例えば、所定ポイント数未満であるときには、受信レベルに関わりなく、第２の基地局の優先順位を最下位に設定する。さらに、リストに含まれる各基地局のうち第１および第２の基地局以外の基地局で、最上位および最下位以外の優先順位を基地局毎に決定することになる。この最上位および最下位以外の優先順位は、受信レベルが高いほど優先度が高くなるように設定される。
【００６０】
以上説明したように本実施形態によれば、記録装置１１６の不具合履歴に応じて、基地局毎の受信レベルに応じて決められた基地局毎の優先順位を変更して交換局１２２に送信される。このため、交換局１２２が、例えば、橋の上のように、見通しの良好な場所において、遠方の基地局と車載無線装置１１との間で無線接続を行われないようにすることができる。したがって、車載無線装置１１が、例えば、橋の上のように、見通しの良好な場所において、遠方の基地局との間で無線接続を開始することを未然に防ぐことが可能になり、ハンドオーバの失敗を抑制することができる。
【００６１】
また、車載無線装置１１の製造メーカは、サーバ装置１３２を用いて、車載通信機１１から、不具合履歴を回収してこの不具合履歴に応じて車載通信機１１の制御プログラム、制御パラメータ（例えば、受信レベルを計測する時間）を変更してこの変更した制御プログラム、制御パラメータを車載通信機１１に送ることができる。これにより、車載通信機１１は、自己の不具合履歴に応じて性能を向上させることができる。また、車載無線装置１１の製造メーカは、他の車載通信機に対しても、上述のごとく変更した制御プログラム、制御パラメータを送れば、他の車載通信機の性能を向上させることができる。
【００６２】
（他の実施形態）
なお、上記実施形態では、移動局としては、Ｗ−ＣＤＭＡ方式の無線通信システムの車載通信機１１を適用したものを示したが、ＰＤＣ、ＰＨＳ、ＤＳＲＣ、無線ＬＡＮ等の各種のシステムの車載通信機１１を適用してもよい。また、複数の無線通信システムを切り換えて無線通信する車載通信機１１の場合には、基地局毎の優先順位を変更する処理を無線通信毎や無線通信システム間での切り替えを行うようにしてもよい。さらに、移動局としては、車載通信機に限らず、使用者に携帯される携帯端末を用いてもよい。
【００６３】
また、上記実施形態では、失敗回数（或いは、成功回数）の積算回数が閾値以上になったとき、優先度を調整するものを示したが、失敗回数（或いは、成功回数）が連続的にカウントされてこの連続的なカウント数が閾値以上となったとき、優先度（ポイント）を調整するものを用いてもよい。
【００６４】
さらに、上記実施形態では、不具合履歴に記録されている特定場所を車両が通過するとき、過去に不具合を生じた基地局毎に接続優先度（ポイント）の増減を行うようにしたものを示したが、不具合履歴に記録されている特定場所を車両が通過するとき、過去に不具合を生じた基地局に関わらず、受信できる全ての基地局からの受信レベルを計測してこの基地局毎の受信レベルに応じて基地局毎に接続優先度（ポイント）の増減を行うようにしてもよい。
【図面の簡単な説明】
【図１】本発明のＷ−ＣＤＭＡ方式の無線通信システムの実施形態を示す図である。
【図２】図１に示すコントローラの概略処理を示すフローチャートである。
【図３】図２に示す処理の一部の詳細を示すフローチャートである。
【図４】図２に示す処理の一部の詳細を示すフローチャートである。
【図５】図２に示す処理の一部の詳細を示すフローチャートである。
【符号の説明】
１１…車載通信機、１２１…基地局、１２２…交換局、
１１０…アンテナ、１１１…移動局送信装置、
１１２…メッセージ符号化装置、１１３…移動局受信装置、
１１４…メッセージ復号化装置、１１５…コントローラ、
１１６…記録装置、１１７…インターフェイス装置、
１１８…周辺環境・走行状態認識装置、１１９…ナビゲーション装置、
１１１０…車載センサ群１１１０。
【図１】
2004120080.tif 000003
【図２】
2004120080.tif 000004
【図３】
2004120080.tif 000005
【図４】
2004120080.tif 000006
【図５】
2004120080.tif 000007